(57)【要約】【課題】個人情報を要求するシステムに対して、個人情報を入力する手間を省く又は軽減することを課題とする。【解決手段】携帯装置１０のプロセッサが、自機の記憶装置に個人情報を登録する第１のステップと、自機の近距離無線通信装置が個人情報要求システム５０の近距離無線通信装置にタッチしたことを検知すると、記憶装置に登録されている個人情報を読み出して近距離無線通信装置を介して個人情報要求システム５０に渡す第２のステップとを実行する。【選択図】図１
2019211936.tif 000002
【特許請求の範囲】
【請求項１】
住所等の個人情報を個人情報要求システムに入力する方法であって、
携帯装置のプロセッサが、
自機の記憶装置に個人情報を登録する第１のステップと、
自機の近距離無線通信装置が個人情報要求システムの近距離無線通信装置にタッチしたことを検知すると、前記記憶装置に登録されている個人情報を読み出して前記近距離無線通信装置を介して前記個人情報要求システムに渡す第２のステップと、を実行する個人情報入力方法。
【請求項２】
請求項１に記載の個人情報入力方法を前記携帯装置のプロセッサに実行させる個人情報入力プログラム。
【請求項３】
請求項２に記載の個人情報入力プログラムと、当該プログラムを実行するプロセッサと、前記記憶装置と、前記近距離無線通信装置とを備えた携帯装置。
【発明の詳細な説明】
【技術分野】
【０００１】
本発明は、住所等の個人情報をシステムに入力するための個人情報入力方法及びプログラム並びにこのプログラムを備えた携帯装置に関する。
【背景技術】
【０００２】
ネットショッピングの利用時など、住所、氏名及び連絡先等の個人情報をコンピュータ機器に入力する機会がある。また、公共の場に設置されたコンピュータ機器に個人情報を入力する機会も考えられる。
文字情報の入力は、一般にはキーボードを操作して行うが、個人情報を入力する機会が増えれば、都度キー入力をしなければならず手間が増える。また、キー入力が苦手なユーザにとっては、個人情報を入力する機会が増加することで、ますます不便な世の中になる。
出願人は、この不都合を改善する一手段として特許文献１を開示している。
【先行技術文献】
【特許文献】
【０００３】
【特許文献１】国際公開第ＷＯ２０１６／０９８７４４号
【発明の概要】
【発明が解決しようとする課題】
【０００４】
本発明は、特許文献１とは異なる手段により、個人情報を入力する手間を省く又は軽減することを課題とする。
【課題を解決するための手段】
【０００５】
この課題を解決する本発明は、住所等の個人情報を個人情報要求システムに入力する方法等を提案する。即ち、携帯装置のプロセッサが、自機の記憶装置に個人情報を登録する第１のステップを実行する。また、自機の近距離無線通信装置が個人情報要求システムの近距離無線通信装置にタッチしたことを検知すると、記憶装置に登録されている個人情報を読み出して近距離無線通信装置を介して個人情報要求システムに渡す第２のステップを実行するように構成する。
個人情報を登録した携帯装置を個人情報要求システムにタッチすると、携帯装置から個人情報要求システムに個人情報が渡され、所定の処理に供される。
【発明の効果】
【０００６】
よって、本発明によれば、個人情報を入力する手間を省く又は軽減することができる。
【図面の簡単な説明】
【０００７】
【図１】図１は、本発明の実施形態を示すブロック図。
【図２】図２は、図１の携帯装置が記憶する個人情報のデータ構造図。
【図３】図３は、図１の携帯装置が記憶する利用履歴のデータ構造図。
【発明を実施するための形態】
【０００８】
以下に本発明の実施形態を説明する。
［実施形態の概要］
図１において、スマートフォン等の携帯装置１０は、インストール済みの専用アプリを実行することにより、住所等の個人情報を自機に内蔵された記憶装置に登録する。登録する個人情報は、自機のタッチパネル等から入力されたもの、自機にタッチしたＩＣカード２０から読み込んだもの、又はネットワーク上のデータベース４０から読み込んだものである。その後、携帯装置１０は、個人情報要求システム５０にタッチすることで、個人情報を自機から同システム５０に渡し、当該個人情報を同システム５０での所定の処理に利用させる。
以下、この概要について詳しく説明する。
【０００９】
［携帯装置］
携帯装置１０は、スマートフォン等の持ち出しに適したコンピュータ機器であり、入力装置、表示装置、プロセッサ、記憶装置、近距離無線通信装置、及びネットワーク通信装置を備えている。
入力装置及び表示装置は、例えば、タッチパネルである。プロセッサは、上記専用アプリを実行することにより、種々の機能を実現する。記憶装置は、内蔵メモリ、外付けメモリや内蔵ＳＩＭ等である。近距離無線通信装置は、ＮＦＣ（Near Field Communication）等の規格に対応し、本機にタッチしたＩＣカード（ＩＣチップ）２０，３０との間でデータ通信を行う。また、本機の近距離無線通信装置は、個人情報要求システム５０に設けられた近距離無線通信装置との間でタッチによりデータ通信を行う。ネットワーク通信装置は、無線ＬＡＮ又はモバイルネットワーク等を通じてネットワーク上の個人情報データベース（個人情報ＤＢ）４０等と通信を行う。
本願において「近距離無線通信装置」は、ＮＦＣ規格に限られるものではなく、タッチによりデータを送受可能な規格に準拠したものであればよい。また、本願において「タッチ」とは、通信可能な距離への接近を意味し、接触した場合に限らず、非接触の場合を含む。
【００１０】
［個人情報記憶ＩＣ］
個人情報記憶ＩＣ２０は、上記ＩＣカード２０であって、住所等の個人情報を予め登録したＩＣチップを備えている。個人情報記憶ＩＣ２０として、例えば、住所等の個人情報を記憶したマイナンバーカード等を用いることが考えられる。
【００１１】
［ＩＤ記憶ＩＣ］
ＩＤ記憶ＩＣ３０は、ＩＣカードであって、当該ＩＣカードの固有の識別子（カード番号等。以下「ＩＤ」という。）を予め登録したＩＣチップを備えている。ＩＤ記憶ＩＣ３０として、例えば、マイナンバーを記憶したマイナンバーカードやクレジットカード番号を記憶したクレジットカード等を用いることが考えられる。このＩＤは、個人情報ＤＢ４０からＩＤに紐付いた個人情報を検索するために用いる。
【００１２】
［個人情報ＤＢ］
個人情報ＤＢ４０は、ユーザＩＤごとに、１又は複数の個人情報を紐付けて記憶している。ユーザＩＤとしては、上記ＩＤ記憶ＩＣ３０に記憶されているＩＤ、又は携帯装置１０の固有の識別子を用いることができる。
本願において、「個人情報」には、住所、氏名及び連絡先（電話番号等）を含むが、ユーザＩＤに対応する本人の個人情報に限らず、他者の個人情報でもよい。例えば、本人の自宅住所、職場住所のほか、荷物の配送先等となる他者の個人情報を利用することも考えられる。
【００１３】
［個人情報要求システム］
個人情報要求システム５０は、携帯装置１０から提供された個人情報を所定の処理に利用するコンピュータ機器であって、入力装置、表示装置、プロセッサ、記憶装置、近距離無線通信装置、及びネットワーク通信装置を備えている。
入力装置及び表示装置は、例えば、タッチパネルである。プロセッサは、プログラムを実行することにより上記の個人情報を用いた所定の処理を実行する。記憶装置は、データを記憶するハードウェアである。近距離無線通信装置は、ＮＦＣ等の規格によりタッチした携帯装置１０から個人情報を取得する。ネットワーク通信装置は、他の外部システム（図示略）と連携して処理を実行する際の通信を担う。ここで、個人情報要求システム５０が実行する処理は、個人情報を扱うものであれば詳細を問わない。また、個人情報要求システム５０は、公共の場に設置されていてもよい。
【００１４】
［携帯装置への個人情報の登録］
（１）携帯装置１０のプロセッサは、自機の入力装置から入力された個人情報を記憶装置に登録する。
（２）携帯装置１０のプロセッサは、自機の近距離無線通信装置にタッチした個人情報記憶ＩＣ２０から個人情報を読み取り、記憶装置に登録する。
（３）携帯装置１０のプロセッサは、ユーザＩＤに紐付いた１又は複数の個人情報を個人情報ＤＢ４０からネットワーク通信装置を介して取得し、記憶装置に登録する。この際、プロセッサは、近距離無線通信装置にタッチしたＩＤ記憶ＩＣ３０から読み取ったＩＤをユーザＩＤとして用いる。又は、プロセッサは、携帯装置１０の記憶装置に予め登録されている携帯装置１０の固有の識別子をユーザＩＤとして用いる。又は、プロセッサは、入力装置から入力されたＩＤをユーザＩＤとして用いる。個人情報ＤＢ４０から複数の個人情報を取得した場合、プロセッサは、当該複数の個人情報を表示装置に表示し、登録する個人情報を入力装置から選択させる。プロセッサは、選択された個人情報を記憶装置に登録する。
プロセッサは、上記（１）−（３）の方法により、図２に示すように、１ないし複数の個人情報を記憶装置に登録する。１種類の方法により複数の個人情報を登録してもよいし、複数の方法を組合わせて複数の個人情報を登録してもよい。個人情報の登録は、個人情報要求システム５０を利用する際に同システムの面前で行ってもよいし、時を隔てて事前に登録を済ませていてもよい。
【００１５】
［個人情報の編集］
携帯装置１０のプロセッサは、入力装置から登録済み個人情報の変更又は削除を要求されると、編集対象の個人情報を表示装置に表示し、入力装置から変更後の個人情報の入力又は削除の決定を受け付ける。プロセッサは、決定された個人情報の変更又は削除を記憶装置に反映する。
【００１６】
［個人情報の出力］
携帯装置１０のプロセッサは、登録済みの個人情報の出力をユーザから要求されると、登録済みの１又は複数の個人情報を記憶装置から読み出し、表示装置に表示させる。
登録済みの個人情報が１つの場合、ユーザは、入力装置を操作して利用する個人情報を確定する。登録済みの個人情報が複数の場合、ユーザは、入力装置を操作して利用する個人情報を選択し確定する。携帯装置１０が個人情報を表示装置に表示する前提として、プロセッサは事前にユーザを認証するとよい。
携帯装置１０のユーザは、携帯装置１０を同システム５０の近距離無線通信装置にタッチする。携帯装置１０のプロセッサは、個人情報要求システム５０へのタッチを感知し、確定された個人情報を個人情報要求システム５０に送出する。近距離無線通信装置へのタッチは、個人情報要求システム５０の求めに応じて行ってもよい。
上記において、「登録済みの１又は複数の個人情報」は、本実施形態の専用アプリによって登録された個人情報に限らず、他のアプリによって予め登録された個人情報でもよい。また、記憶装置はＳＩＭカードに内蔵されていてもよい。
【００１７】
［ログの記録］
携帯装置１０のプロセッサは、個人情報を送出した際、図３に示すように、個人情報の送出日時（利用日時）と、個人情報を送出した場所（利用場所）と、送出した個人情報の識別子（利用した個人情報）とを紐付けて記憶装置に記録する。利用場所を示す情報としては、プロセッサが携帯装置１０の位置情報機能（ＧＰＳ機能等）を利用できる場合、当該機能により取得した位置情報を記録してもよい。また、個人情報要求システム５０から当該システムの識別子を取得できる場合、当該システムの識別子を利用場所を示す情報として記録してもよい。このようなログを、個人情報流出の追跡に役立てることも考えられる。
【００１８】
［個人情報の利用］
個人情報要求システム５０のプロセッサは、自機の近距離無線通信装置を介して携帯装置１０から取得した個人情報を利用して所定の処理を実行する。個人情報の利用にあたり、取得した個人情報を表示装置に表示し、入力装置から利用の確認を入力させてもよい。同プロセッサは、個人情報の受領を示す受領データを近距離無線通信装置を介して携帯装置１０に返送してもよい。携帯装置１０のプロセッサは、個人情報要求システム５０から個人情報の受領データを受信したことを契機として、前記のログを記録してもよい。
【００１９】
［本実施形態の効果］
以上に説明した本実施形態によると、スマートフォン等の携帯装置１０を個人情報要求システム５０にタッチすることで、携帯装置１０に登録されている個人情報を個人情報要求システム５０に入力することができる。このため、個人情報を入力する手間を軽減することができる。
【００２０】
［変形例］
ここで、本発明の範囲は請求の範囲に記載した範囲であり、上記実施形態に限られない。同範囲での設計変更等も本発明の範囲に含まれる。
【符号の説明】
【００２１】
１０  携帯装置
２０  個人情報記憶ＩＣ
３０  ＩＤ記憶ＩＣ
４０  個人情報ＤＢ
５０  個人情報要求システム
【図１】
2019211936.tif 000003
【図２】
2019211936.tif 000004
【図３】
2019211936.tif 000005